(57)【要約】  或るデータ量が送信されるブロードキャストシステム（１００）において移動通信デバイス（１０３）内でデータを受信するための方法において、前記移動通信デバイス（１０３）は電池（１０４）を備えており、方法には前記データ量の部分を受信するステップが含まれ、方法にはさらに前記データ量の前記部分を電池の充電状態に基づいて判定するステップが含まれる。このようにして、移動通信デバイスは、前記移動通信デバイスが経験する実際の状態に応じて或るデータ量をダウンロード／受信することができる。移動通信デバイスの状態とは、この文脈では、例えば、受信状態、電力消費状態、電池容量状態、電池充電状態等であってもよい。
2010525706.tif 000002
【特許請求の範囲】
【請求項１】
或るデータ量が送信されるブロードキャストシステム（１００）において移動通信デバイス（１０３）の中でデータを受信する方法であって、
前記移動通信デバイス（１０３）は電池（１０４）を含み、
前記方法は、前記データ量の部分を受信するステップを備え、
前記方法は、前記電池の充電状態に基づいて前記データ量の前記部分を判定するステップを更に備える
ことを特徴とする方法。
【請求項２】
前記電池の充電状態に基づいて前記データ量の前記部分を判定する前記ステップは更に、
前記電池（１０４）が充電器（１０８）に接続されているということを前記電池の前記充電状態が示す場合に、前記データ量の前記部分（２０５，２０６）を、前記データ量の第１の部分（２０５，２０６）に等しいものとして判定するステップと、
前記電池（１０４）が前記充電器（１０８）に接続されていないということを前記電池の前記充電状態が示す場合に、前記データ量の前記部分（２０５，２０６）を、前記データ量の第２の部分（２０５，２０６）に等しいものとして判定するステップと、
を備える
ことを特徴とする請求項１に記載の方法。
【請求項３】
前記電池の充電状態に基づいて前記データ量の前記部分を判定する前記ステップは、残余電池容量に基づくことを特徴とする請求項１又は２に記載の方法。
【請求項４】
残余電池容量に基づいて前記データ量の前記部分（２０５，２０６）を判定する前記ステップは、
前記電池の全容量のうちの第１の量以上の残余容量を前記電池（１０４）が持つということを前記電池の前記充電状態が示す場合に、前記データ量の前記部分（２０５，２０６）を、前記データ量の第３の部分（２０５，２０６）に等しいものとして判定するステップと、
前記電池の全容量のうちの前記第１の量未満の残余容量を前記電池（１０４）が持つということを前記電池の前記充電状態が示す場合に、前記データ量の前記部分（２０５，２０６）を、前記データ量の第４の部分に等しいものとして判定するステップと、
を備えることを特徴とする請求項３に記載の方法。
【請求項５】
前記電池の充電状態に基づいて前記データ量の前記部分（２０５，２０６）を判定する前記ステップは、前記電池（１０４）に関する前記デバイス（１０３）の消費電力に依存して実行されることを特徴とする請求項１乃至４のいずれか１項に記載の方法。
【請求項６】
前記電池の充電状態に基づいて前記データ量の前記部分（２０５，２０６）を判定する前記ステップは更に、
前記移動通信デバイスが第１の値以下の消費電力を示すスタンバイモードにある場合に、前記データ量の前記部分（２０５，２０６）を、前記データ量の各部分のうち、最大値及び最小値を持つ第１の範囲にあるものと判定するステップと、
前記移動通信デバイスが前記第１の値より多い消費電力を示すアクティブモードにある場合に、前記データ量の前記部分（２０５，２０６）を、前記データ量の各部分のうち、最大値及び最小値を持つ第２の範囲にあるものと判定するステップと、
を備えることを特徴とする請求項５に記載の方法。
【請求項７】
前記移動通信デバイスが前記スタンバイモードにある場合に、前記移動通信デバイスの受信器がアクティブであれば、前記データ量の前記部分（２０５，２０６）を、前記第１の範囲の前記最小値に等しいものとして判定するステップを更に備えることを特徴とする請求項６に記載の方法。
【請求項８】
前記移動通信デバイスが前記アクティブモードにある場合に、前記移動通信デバイスの受信器がアクティブであれば、前記データ量の前記部分（２０５，２０６）を、前記第２の範囲の前記最小値に実質的に等しいものとして判定するステップを更に備えることを特徴とする請求項６又は７に記載の方法。
【請求項９】
前記電池に関する前記デバイスの消費電力に依存して実行される前記データ量の前記部分（２０５，２０６）を判定する前記ステップは更に、
前記移動通信デバイスが第２の消費電力以上の消費電力を持つということを前記電池の前記充電状態が示す場合に、前記データ量の前記部分（２０５，２０６）を、前記データ量の第５の部分（２０５，２０６）に等しいものとして判定するステップと、
前記移動通信デバイスが前記第２の消費電力未満の消費電力を持つということを前記電池の前記充電状態が示す場合に、前記データ量の前記部分（２０５，２０６）を、前記データ量の第６の部分（２０５，２０６）に等しいものとして判定するステップと、
を備えることを特徴とする請求項５に記載の方法。
【請求項１０】
前記ブロードキャストシステムから前記移動通信デバイスが受信するデータの信号対雑音比を、前記移動通信デバイスの消費電力の指標として使用するステップを備えることを特徴とする請求項５乃至９のいずれか１項に記載の方法。
【請求項１１】
前記データ量の受信した部分を前記移動通信デバイスのメモリデバイス（１０７）に記憶するステップを更に備えることを特徴とする請求項１乃至１０のいずれか１項に記載の方法。
【請求項１２】
前記電池の充電状態に基づいて前記データ量の前記部分を判定する前記ステップは、前記移動通信デバイスを使用するユーザのサービス切換え動作を表す統計データに更に基づくことを特徴とする請求項１乃至１１のいずれか１項に記載の方法。
【請求項１３】
前記データ量はタイム・スライス（２０５，２０６）として送信され、前記データ量の前記部分は或る数のタイム・スライスであることを特徴とする請求項１乃至１２のいずれか１項に記載の方法。
【請求項１４】
前記ブロードキャストシステム（１００）は、Ｄｉｇｉｔａｌ  Ｖｉｄｅｏ  Ｂｒｏａｄｃａｓｔｉｎｇ−Ｈａｎｄｈｅｌｄ標準に従って前記データ量を送信するように構成されることを特徴とする請求項１３に記載の方法。
【請求項１５】
前記データ量は或る量の帯域幅として送信され、前記データ量の前記部分は或る量の帯域幅であることを特徴とする請求項１乃至１２のいずれか１項に記載の方法。
【請求項１６】
前記ブロードキャストシステム（１００）は、ＯＦＤＭ標準に従って前記データ量を送信するように構成されることを特徴とする請求項１５に記載の方法。
【請求項１７】
或るデータ量が送信されるブロードキャストシステム（１００）においてデータを受信するデバイスであって、
電池（１０４）と、
前記データ量の部分を受信する手段（１０５）と、
を備え、
前記デバイスは、前記電池の充電状態に基づいて前記データ量の前記部分を判定するように構成される手段（１０６）を更に備える
ことを特徴とするデバイス。
【請求項１８】
前記電池の充電状態に基づいて前記データ量の前記部分を判定するように構成される前記手段（１０６）は更に、
前記電池（１０４）が充電器（１０８）に接続されているということを前記電池の前記充電状態が示す場合に、前記データ量の前記部分（２０５，２０６）を、前記データ量の第１の部分（２０５，２０６）に等しいものとして判定し、
前記電池（１０４）が前記充電器（１０８）に接続されていないということを前記電池の前記充電状態が示す場合に、前記データ量の前記部分（２０５，２０６）を、前記データ量の第２の部分（２０５，２０６）に等しいものとして判定する、
ように構成されることを特徴とする請求項１７に記載のデバイス。
【請求項１９】
前記電池の充電状態に基づいて前記データ量の前記部分を判定するように構成される前記手段（１０６）は更に、残余電池容量に基づいて前記データ量の前記部分（２０５，２０６）を判定するように構成されることを特徴とする請求項１７又は１８に記載のデバイス。
【請求項２０】
前記電池の充電状態に基づいて前記データ量の前記部分を判定するように構成され、残余電池容量に基づいて前記データ量の前記部分を判定するように更に構成される前記手段（１０６）は更に、
前記電池の全容量のうちの第１の量以上の残余容量を前記電池（１０４）が持つということを前記電池の前記充電状態が示す場合に、前記データ量の前記部分（２０５，２０６）を、前記データ量の第３の部分（２０５，２０６）に等しいものとして判定し、
前記電池の全容量のうちの前記第１の量未満の残余容量を前記電池（１０４）が持つということを前記電池の前記充電状態が示す場合に、前記データ量の前記部分（２０５，２０６）を、前記データ量の第４の部分（２０５，２０６）に等しいものとして判定する、
ように構成されることを特徴とする請求項１９に記載のデバイス。
【請求項２１】
前記電池の充電状態に基づいて前記データ量の前記部分（２０５，２０６）を判定するように構成される前記手段（１０６）は更に、前記電池に関する前記デバイスの消費電力に基づいて前記データ量の前記部分（２０５，２０６）を判定するように構成されることを特徴とする請求項１７乃至２０のいずれか１項に記載のデバイス。
【請求項２２】
前記電池の充電状態に基づいて前記データ量の前記部分（２０５，２０６）を判定するように構成される前記手段（１０６）は更に、
前記デバイスが第１の値以下の消費電力を示すスタンバイモードにある場合に、前記データ量の前記部分（２０５，２０６）を、前記データ量の各部分のうち、最大値及び最小値を持つ第１の範囲（２０５，２０６）にあるものと判定し、
前記デバイスが前記第１の値より多い消費電力を示すアクティブモードにある場合に、前記データ量の前記部分（２０５，２０６）を、前記データ量の各部分のうち、最大値及び最小値を持つ第２の範囲（２０５，２０６）にあるものと判定する、
ように構成されることを特徴とする請求項２１に記載のデバイス。
【請求項２３】
前記電池の充電状態に基づいて前記データ量の前記部分（２０５，２０６）を判定するように構成される前記手段（１０６）は更に、前記デバイスが前記スタンバイモードにある場合に、前記デバイスの受信器（１０５）がアクティブであれば、前記データ量の前記部分（２０５，２０６）を、前記第１の範囲の前記最小値に等しいものとして判定するように構成されることを特徴とする請求項２２に記載のデバイス。
【請求項２４】
前記電池の充電状態に基づいて前記データ量の前記部分（２０５，２０６）を判定するように構成される前記手段（１０６）は更に、前記デバイスが前記アクティブモードにある場合に、前記デバイスの受信器（１０５）がアクティブであれば、前記データ量の前記部分（２０５，２０６）を、前記第２の範囲の前記最小値に等しいものとして判定するように構成されることを特徴とする請求項２２又は２３に記載のデバイス。
【請求項２５】
前記電池の消費電力に基づいて前記データ量の前記部分（２０５，２０６）を判定するように構成される前記手段（１０６）は更に、
前記デバイスが第２の消費電力以上の消費電力を持つということを前記電池の前記充電状態が示す場合に、前記データ量の前記部分（２０５，２０６）を、前記データ量の第５の部分（２０５，２０６）に等しいものとして判定し、
前記デバイスが前記第２の消費電力未満の消費電力を持つということを前記電池の前記充電状態が示す場合に、前記データ量の前記部分（２０５，２０６）を、前記データ量の第６の部分（２０５，２０６）に等しいものとして判定する、
ように構成されることを特徴とする請求項２１に記載のデバイス。
【請求項２６】
前記電池の充電状態に基づいて前記データ量の前記部分を判定するように構成される前記手段（１０６）は更に、前記ブロードキャストシステム（１００）から前記デバイス（１０３）が受信するデータの信号対雑音比を、前記デバイス（１０３）の消費電力の指標として使用するように構成されることを特徴とする請求項２１乃至２５のいずれか１項に記載のデバイス。
【請求項２７】
前記ブロードキャストシステム（１００）から受信した前記データ量の前記部分を格納するように構成されるメモリユニット（１０７）を更に備えることを特徴とする請求項１７乃至２６のいずれか１項に記載のデバイス。
【請求項２８】
前記電池の充電状態に基づいて前記データ量の前記部分（２０５，２０６）を判定するように構成される前記手段（１０６）は更に、前記デバイスを使用するユーザのサービス切換え動作を表す統計データに基づいて、受信すべき前記データ量の前記部分を判定するように構成されることを特徴とする請求項１６乃至２８のいずれか１項に記載のデバイス。
【請求項２９】
前記データ量はタイム・スライス（２０５，２０６）として送信され、前記データ量の前記部分は或る数のタイム・スライスであることを特徴とする請求項１７乃至２８のいずれか１項に記載のデバイス。
【請求項３０】
前記ブロードキャストシステムは、Ｄｉｇｉｔａｌ  Ｖｉｄｅｏ  Ｂｒｏａｄｃａｓｔｉｎｇ−Ｈａｎｄｈｅｌｄシステムであることを特徴とする請求項２９に記載のデバイス。
【請求項３１】
前記データ量は或る量の帯域幅として送信され、前記データ量の前記部分は或る量の帯域幅であることを特徴とする請求項１７乃至２８のいずれか１項に記載のデバイス。
【請求項３２】
前記ブロードキャストシステム（１００）は、ＯＦＤＭシステムであることを特徴とする請求項３１に記載のデバイス。
【請求項３３】
移動電話であることを特徴とする請求項１７乃至３２のいずれか１項に記載のデバイス。
【発明の詳細な説明】
【技術分野】
【０００１】
本発明は、或るデータ量が送信されるブロードキャストシステムにおいて移動通信デバイス内でデータを受信するための方法に関する。さらに本発明は、対応するデバイスにも関連する。
【背景技術】
【０００２】
現在、さまざまなタイプのブロードキャスト技術が移動電話で利用できるようになっている。そのようなブロードキャスト技術のタイプの１つが、従来のセルラー標準の範囲内で開発されており、マルチメディア・ブロードキャストおよびマルチキャスト・サービス（ＭＢＭＳ）と呼ばれている。移動電話用のそのようなブロードキャスト技術のもう１つのタイプが、地上波テレビジョン用のヨーロッパのブロードキャスティング標準であるｄｉｇｉｔａｌ  ｖｉｄｅｏ  ｂｒｏａｄｃａｓｔｉｎｇ−ｔｅｒｒｅｓｔｒｉａｌ（ＤＶＢ−Ｔ）から現れてきた。この標準は、ｄｉｇｉｔａｌ  ｖｉｄｅｏ  ｂｒｏａｄｃａｓｔｉｎｇ−ｈａｎｄｈｅｌｄ（ＤＶＢ−Ｈ）と呼ばれる。
【０００３】
移動電話へのブロードキャスト送信は、例えばショート・メッセージ・サービス（ＳＭＳ）および／またはマルチメディア・メッセージング・サービス（ＭＭＳ）のような、音声トラヒックおよびデータトラヒック用に用いられるポイント・ツー・ポイント（Ｐ２Ｐ）送信とはいろんな点で異なっている。１つの違いは、ブロードキャストシステムにおいてはポイント・ツー・ポイント・システムと比べて同様のサービス品質（ＱｏＳ）を実現することが難しいという点である。例えば、セルラー通信システム内のＰ２Ｐ送信では、基地局からセルラー電話へ送信される信号の最低受信電力レベルを保証することを目的として、そして同時に、相互チャネル干渉が限定的であるように信号の電力レベルを保証することを目的として、セルラー電話上での電力制御を用いるのが一般的である。加えて、Ｐ２Ｐ送信の間にデータが正確に受信されない場合、データは通常、再送信される。これは自動再送要求（ＡＲＱ）によって行われる。ブロードキャストシステムに関しては、電力制御もＡＲＱも用いられない。これは、ある具体的な送信器によってアドレス指定された受信器（例えばセルラー電話）にとっての受信条件が、通常、非常に多様なチャネル条件を経験するということを意味する。
【０００４】
ＤＶＢ−Ｈに基づくブロードキャストシステムでは、サービスは、例えば小型の手持ち式の画面／デバイス上で視聴されることになるＴＶ番組のような、典型的なサービスに必要とされるデータ速度より速いデータ速度で送信される。これらのサービスが通常、３００乃至４００ｋｂｉｔ／秒のオーダを必要とするのに対して、ＤＶＢ−Ｈでは１０Ｍｂｉｔ／秒のオーダのデータ速度は当たり前である。従って、３０個のＴＶ番組というオーダでは、原則として、１つの１０Ｍｂｉｔ／秒の搬送波でサポート可能である。
【０００５】
もっと多くのＴＶ番組、ラジオ番組および／またはその他のブロードキャストサービスをサポートするために、２つ以上の送信周波数が用いられてもよく、こうすると、受信側デバイスは、所望のサービス（例えばＴＶ番組）が送信される周波数に切り換えることが必要である。
【０００６】
ＤＶＢ−Ｈは、移動電話、ラップトップおよび同様の携帯型デバイスに利用できるようにすることが期待される。現在、これらのデバイスで利用可能なメモリ量は増加を続けている。特に、メモリカードが導入されると、セルラー電話で利用可能なメモリは急増する。５１２ＭＢのメモリカードは現在では一般的であり、近い将来、移動電話は１ＧＢを超えるメモリ、例えば４ＧＢ以上のメモリを有すると考えてもよい。従って、写真、ＭＰ３音声、ラジオ番組、ＴＶ番組、および、ＤＶＢ−Ｈまたはセルラー電話やその他の携帯型デバイス上でのその他のブロードキャストサービスを介して受信するその他のものを記憶することが可能である。
【０００７】
ＤＶＢ−Ｈ標準の開発に当っては、ＤＶＢ−Ｔの受信に関連する消費電力が主な障害であると考えられた。従って、ＤＶＢ−Ｈの開発の際の取り組みの１つは、ＤＶＢ−Ｔの符号化、変調、およびその他の重要な特性を変えずに消費電力を大幅に減らすにはどうしたらよいかということであった。その解決策は、所与のサービスに必要なデータ速度より極めて高速のデータ速度で比較的短いバーストの間にデータが送信される、タイム・スライシングの導入であった。第１のバースト／タイム・スライスを受信している受信器に対して第２のバースト／タイム・スライスを予測すべき時期を指示する目的で、第２のバースト／タイム・スライスの開始時期を第１のバースト／タイム・スライスの中に示す。従って、例えばセルラー電話のＤＶＢ−Ｈ受信器は、データのバースト／タイム・スライスの間に原則的に電源をオフにされてもよく、従って、受信器の平均消費電力を削減可能である。正確な節電量は、例えば例をあげると、受信器がオンになっているデータバースト／タイム・スライスの継続時間と受信器の少なくとも一部がオフにされてもよいデータバースト／タイム・スライスの合間の継続時間との関係など、複数の要因に依存してもよい。タイム・スライスによるシステムを用いた消費電力は、連続受信を用いた消費電力の８０乃至９０％少ないオーダである可能性があると、一般に考えられている。
【０００８】
典型的には、１つのサービス（例えば１つのＴＶ番組）は、タイム・スライス／データバースト毎に送信される。受信器がオフになっていてもよい時間間隔が長ければ長いほど、節電は大きくなる。しかし、バースト／タイム・スライス間の時間間隔が長すぎることは、概して、１つのサービスから別のサービスに切り換わる時間が長くかかることがあることを意味する。ユーザが例えばテレビ番組のようなサービスを選択してからサービスが例えば移動電話のようなユーザのデバイス上の画面に表示されるまでの時間間隔を、ザッピングタイムと呼ぶ。従って、タイム・スライシングのパラメータを選ぶ際、どのくらい節電できるかということと、ザッピングタイムに関するユーザエクスペリエンスとのトレードオフが存在する。
【０００９】
加えて、複数のサービス（例えばＴＶ番組）が、複数のタイム・スライスの中でブロードキャストされることがある。例えば、１０Ｍｂｉｔ／秒の搬送波が、例えばＴＶ番組のような３００乃至４００ｋｂｉｔ／秒のサービスを３０個のオーダでサポートしてもよい。３０個のサービスは、各々のサービスがそれ自身のタイム・スライスを有する１個のフレームとして見られてもよい。フレームは、第１のフレームが３０個のサービスの各々について第１のデータの集合を含み、第２のフレームが、３０個のサービスの各々について第２のデータの集合を含み、以下同様であるように連続して送信されてもよい。所与のサービスが、それが送信されるフレーム群の各々において同じ位置を有してもよい。
【００１０】
例えば、第１のＴＶ番組が、フレーム群のうちの第１のタイム・スライスの中で送信され、前記第１のタイム・スライスが、連続して送信されるフレーム群の中で同じ位置で、すなわち各フレームの第１のタイム・スライスで発生してもよい。前記第１のＴＶ番組のタイム・スライス群は、この例では、従って、タイム・スライス番号１、３１、６１、９１等である。
【００１１】
前記の第１のＴＶ番組を受信する手持ち式デバイスは、従って、上記のフレーム群の第１のタイム・スライスを受信する必要があるだけであり、それによって手持ち式デバイスは、節電を獲得してもよい。しかし、この節電の増加によって、ザッピングタイムがさらに増えるという代償を払うことがある。
【００１２】
ブロードキャスト送信された情報を受信して記憶することができる手持ち式デバイスの中に十分なメモリが存在するようになれば、ラジオおよび／またはＴＶのような典型的なブロードキャストサービスは、手持ち式デバイスのメモリの中にダウンロードされて記憶され、従ってユーザはダウンロードされたサービスを所望の時間に視聴できるであろうと想像される。
【００１３】
特に、関心のある時間が限られる情報、例えばニュースおよび／または株価は、ユーザに関心を与えるように頻繁に更新されるであろうと想像される。
【００１４】
同様の状況は、個別のサービスが利用可能な帯域幅の一部を占めるシステムでも発生することがある。
【００１５】
ＥＰ１  ６９６  ５７５は、データを送信チャネルを通して送信する方法および受信する方法に関する。選択されたサービスがダウンロードされる。選択されたサービスのタイム・スライス間のオフタイムの間に、別のサービスがダウンロードされ、この別のサービスから、ザッピングデータが抽出されて記憶される。
【００１６】
先行技術では、高エネルギ消費という代償を払って、或るデータ量を送信するブロードキャストシステムから、データ量の大部分をダウンロード／受信することが知られている。あるいは、柔軟性の低さという代償を払って、ブロードキャストシステムからデータ量のほんの一部分をダウンロード／受信することが知られており、言い換えると、データ量のほんの一部分だけをダウンロードする場合、残りのダウンロードされなかった／受信されなかったデータ量を使うことはできない。
【００１７】
従って、既存の技術の１つの問題は、ブロードキャストシステムにおいてデータ量の一部を受信する移動通信デバイスは、実質的に最適なかたちでデータ量を受信／ダウンロードしていないということである。
【００１８】
従って、本発明の目的は、ブロードキャストシステムにおいて移動通信デバイスが実質的に最適なかたちでデータ量を受信／ダウンロードできるようにする方法およびデバイスを提供することである。
【発明の概要】
【課題を解決するための手段】
【００１９】
本発明によると、本目的は、或るデータ量が送信されるブロードキャストシステムにおいて移動通信デバイス内でデータを受信するための方法によって実現され、前記移動通信デバイスは電池を備えており、方法には、前記データ量の部分を受信するステップが含まれることを特徴とし、方法にはさらに、電池の充電状態に基づいて前記データ量の前記部分を判定するステップが含まれることを特徴とする。
【００２０】
これにより、本発明は、電池の充電状態に基づいてダウンロードされる／受信されることになるデータ量を判定することによって、上記の問題を解決することができる。従って、移動通信デバイスは、最適なかたちでデータ量の部分をダウンロード／受信することができる。例えば、移動通信デバイスの充電状態は、データ量の大部分のダウンロード／受信が許容されるということを示してもよい。
【００２１】
また電池の充電状態は、例えば、移動通信デバイスが服していることがある１つ以上の状態を反映してもよく、こうして、移動通信デバイスが経験しているその１つ以上の状態が、ブロードキャストシステムにおける移動通信デバイスによってデータの受信の間に考慮されてもよい。
【００２２】
以下および以上において、移動通信デバイスの状態とは、例えば、受信状態、消費電力状態、電池容量状態、電池充電状態等であってもよい。
【００２３】
本発明の一実施形態では、電池の充電状態に基づいて前記データ量の前記部分を判定するステップには、さらに、電池が充電器に接続していることを電池の充電状態が示している場合、前記データ量の前記部分が前記データ量の第１の部分に等しいと判定するステップと、電池が充電器に接続していないことを電池の充電状態が示している場合、前記データ量の前記部分が前記データ量の第２の部分に等しいと判定するステップとが含まれる。
【００２４】
このようにして、移動通信デバイスが、移動通信デバイスの電池を充電する充電器に接続している場合には、移動通信デバイスの消費電力は問題ではなく、従って、移動通信デバイスは、大量（第１の量）のデータを受信／ダウンロードしてもよい。
【００２５】
また、移動通信デバイスが充電中ではなく、移動通信デバイスの消費電力が問題となることがある場合には、前記受信／ダウンロードされることになるデータ量の部分は、より少なくてもよい（第２の数）。こうすることで、移動通信デバイスが充電器に接続していない場合、移動通信デバイスは、データ量のより少ない部分を受信／ダウンロードすることによって、電池残量を節約することができる。
【００２６】
従って、移動通信デバイスによって受信されるデータ量は、移動通信デバイスが充電中であるかまたは移動通信デバイスが充電中でないかに依存してもよい。
【００２７】
本発明の一実施形態では、電池の充電状態に基づいて前記データ量の前記部分を判定するステップは、残余電池容量の量に基づく。
【００２８】
このようにして、方法は、ダウンロードされることになる前記データ量の部分を、残余電池容量の量に合わせることができ、すなわち、方法は、ダウンロードされることになる前記データ量の部分を、移動通信デバイスの残余電池容量の状態に合わせることができる。
【００２９】
本発明の一実施形態では、残余電池容量の量に基づいて前記データ量の前記部分を判定するステップには、電池がその全容量の第１の量より多いかまたはそれと等しい残余容量を有することを電池の充電状態が示す場合には、前記データ量の前記部分が前記データ量の第３の部分に等しいと判定するステップと、そして、電池がその全容量の第１の量より少ない残余容量を有することを電池の充電状態が示す場合には、前記データ量の前記部分が前記データ量の第４の部分に等しいと判定するステップとが含まれる。
【００３０】
このようにして本方法では、残余電池容量が全電池容量のうちの一定の第１のレベル（例えば５０％）より多い場合には、ダウンロードされることになる前記データ量の前記部分は、前記データ量の第３の部分であると判定することができる。残余電池容量が前記第１のレベルより少ない場合、前記データ量の第４の部分がダウンロードされる。従って、例えば残余電池容量が多い場合、移動通信デバイスは大量のデータをダウンロード／受信してもよく、そして、例えば残余電池容量が少ない場合、移動通信デバイスは、電池残量を節約する目的で、少量のデータをダウンロード／受信してもよい。
【００３１】
本発明の一実施形態では、電池の充電状態に基づいて前記データ量の前記部分を判定することは、前記電池についてのデバイスの消費電力に依存して行われる。
【００３２】
このようにして本方法では、移動通信デバイスは、ダウンロードされることになる前記データ量の部分を移動通信デバイスの消費電力によって判定することが可能になり、従って、方法では、ダウンロードされることになる前記データ量の部分を、移動通信デバイスの消費電力の状態に合わせることができる。
【００３３】
本発明の一実施形態では、電池の充電状態に基づいて前記データ量の前記部分を判定するステップにはさらに、移動通信デバイスが第１の値より少ない消費電力を示すスタンバイモードである場合に前記データ量の前記部分が前記データ量の各部分のうち第１の範囲にあると判定するステップと、移動通信デバイスが前記第１の値より多い消費電力を示すアクティブモードである場合に前記データ量の前記部分が前記データ量の各部分のうち第２の範囲にあると判定するステップとが含まれ、かつ、前記第１の範囲には前記第１の範囲の最高値と最低値とが含まれ、前記第２の範囲には前記第２の範囲の最高値と最低値とが含まれる。
【００３４】
このようにして本方法では、受信することになるデータ量を移動通信デバイスのモードに従って判定することができる。
【００３５】
あるいは、または加えて、移動通信デバイスが例えば多量の電力を消費する場合、電池残量を節約することを目的として、移動通信デバイスが、データ量の前記部分の受信に関連するエネルギ消費を削減／最小化できるように、前記データ量の前記部分を少なくすると判定してもよい。
【００３６】
移動通信デバイスの消費電力が例えば少ない場合には、受信／ダウンロードされることになると判定されたデータ量の部分は多くてもよく、従って、移動通信デバイスのエネルギ消費は、維持されるおよび／または増加されてもよい。
【００３７】
本発明の一実施形態では、方法にはさらに、移動通信デバイスがスタンバイモードである場合、移動通信デバイスの受信器がアクティブであるならば、前記データ量の前記部分は前記第１の範囲の最低値に等しいと判定するステップが含まれる。
【００３８】
このようにして本方法では、移動通信デバイスがスタンバイモードであって、かつ、移動通信デバイスの受信器がアクティブであるならば、前記データ量の各部分の第１の範囲の最低数をダウンロードすることができる。
【００３９】
本発明の一実施形態では、本方法にはさらに、移動通信デバイスがアクティブモードである場合、移動通信デバイスの受信器がアクティブであるならば、前記データ量の前記部分は前記第２の範囲の最低値に実質的に等しいと判定するステップが含まれる。
【００４０】
このようにして本方法では、移動通信デバイスがアクティブモードであって、かつ、移動通信デバイスの受信器がアクティブであるならば、前記データ量の各部分の第２の範囲の最低数をダウンロードすることができる。
【００４１】
本発明の一実施形態では、前記電池に関するデバイスの消費電力に依存して行われる前記データ量の前記部分を判定することにはさらに、移動通信デバイスが第２の消費電力より多いかまたはそれと等しい電力を消費することを電池の充電状態が示す場合には、前記データ量の前記部分は前記データ量の第５の部分に等しいと判定するステップと、移動通信デバイスが前記第２の消費電力より少ない電力を消費することを電池の充電状態が示す場合には、前記データ量の前記部分は前記データ量の第６の部分に等しいと判定するステップとが含まれる。
【００４２】
このようにして本方法では、移動通信デバイスは、ダウンロードすることになる前記データ量の前記部分を状態に従って判定することができ、その状態とは移動通信デバイスの消費電力である。これにより、本方法では、移動通信デバイスは、例えば、移動通信デバイスの消費電力が少ない場合には前記データ量の前記部分が大量のデータ量であると判定できる。そして、例えば、移動通信デバイスの消費電力が多い場合には、前記データ量の前記部分は少量のデータ量であると判定できる。従って、移動通信デバイスの消費電力が多い場合、或る数のタイム・スライスを受信する受信器の消費電力は、前記データ量の部分を少ないと判定することによって、削減されてもよい。
【００４３】
本発明の一実施形態では、本方法には、ブロードキャストシステムから移動通信デバイスが受信したデータの信号対雑音比を前記移動通信デバイスの消費電力の指標として使用することが含まれる。
【００４４】
このようにして、ダウンロードすべき前記データ量の部分を本方法がそれによって判定してもよい状態とは、移動通信デバイスが受信したデータの信号対雑音比であってもよい。例えば、受信状態が良ければ良いほど、信号対雑音比は高くなり、従って、例えば、ブロードキャストシステムからのデジタルブロードキャスト信号を復号する復号器（例えばＲｅｅｄ−Ｓｏｌｏｍｏｎ）の消費電力は少なくなり、従って、移動通信デバイスの消費電力は少なくなる。移動通信デバイスの全般的な消費電力、例えば、データ量の部分を受信／ダウンロードすることに関連しない消費電力が少なければ少ないほど、例えば一定の消費電力レベルに達するまでは、データを受信する移動通信デバイスの受信器の消費電力を多くしてもよい。
【００４５】
本発明の一実施形態では、本方法にはさらに、前記データ量の前記受信した部分を前記移動通信デバイスのメモリデバイス内に記憶するステップが含まれる。
【００４６】
このようにして本方法では、移動通信デバイスは、前記データ量のダウンロード／受信された部分を後で使用するためにメモリデバイス内に記憶することができる。
【００４７】
本発明の一実施形態では、本方法にはさらに、前記データ量の前記部分を、電池の充電状態と、さらに前記移動通信デバイスを用いるユーザのサービス切換え動作を表す統計データとに基づいて判定するステップが含まれる。
【００４８】
このようにして、ユーザが経験するザッピングタイムは、ユーザのサービス切換えの統計データに基づいて、ユーザの実際のサービス切換えに応じたデータ量の部分をダウンロードすること／受信することによって、削減することができる。
【００４９】
本発明の一実施形態では、データ量はタイム・スライスとして送信され、そして、前記データ量の前記部分とは或る数のタイム・スライスである。
【００５０】
このようにして、タイム・スライスによるシステムが、本方法によって円滑化されてもよい。さらに、本方法は、受信されることになるタイム・スライスの数を、移動通信デバイスの実際の状態に対して最適化することができるため、異なるタイム・スライスにおける異なるサービス間のザッピングタイムは、複数の状態に服する移動通信デバイスについては減ることがある。
【００５１】
本発明の一実施形態では、ブロードキャストシステムは、Ｄｉｇｉｔａｌ  Ｖｉｄｅｏ  Ｂｒｏａｄｃａｓｔ−Ｈａｎｄｈｅｌｄシステムである。
【００５２】
このようにして、ＤＶＢ−Ｈシステムを本方法によって円滑化可能である。
【００５３】
本発明の一実施形態では、データ量は帯域幅の量として送信され、前記データ量の前記部分は帯域幅の量である。
【００５４】
このようにして、帯域幅に基づいたシステムが本方法によって円滑化されてもよい。
【００５５】
本発明の一実施形態では、ブロードキャストシステムは、直交周波数分割多重（ＯＦＤＭ）システムである。
【００５６】
このようにして、ＯＦＤＭシステムを本方法によって円滑化可能である。
【００５７】
本発明の諸実施形態はまた、本方法の諸実施形態に対応するデバイスにも関連する。
【００５８】
上記のように、本発明はまた、或るデータ量が送信されるブロードキャストシステムにおいてデータを受信するためのデバイスに関するものであり、前記デバイスは電池と前記データ量の部分を受信するための手段とを備えており、デバイスは電池の充電状態に基づいて前記データ量の前記部分を判定するように構成された手段をさらに備えることを特徴とする。
【００５９】
本デバイスおよびその諸実施形態は、本方法およびその諸実施形態に対応しており、同じ理由から同じ利点を有している。
【００６０】
ここで本発明について、以下の図面を参照しながらより詳細に説明しよう。
【図面の簡単な説明】
【００６１】
【図１】本発明によるデバイスを含むデジタルブロードキャストシステムを示す図である。
【図２】ＤＶＢ−Ｈタイム・スライシング送信の概略図である。
【図３】移動通信デバイスの中で或る数のタイム・スライスを受信する方法を表すフローチャートである。
【図４】異なるサービスを表す、ＯＦＤＭシステム内の副搬送波の概略図である。
【図５】異なるサービスを別のかたちで表す、ＯＦＤＭシステム内の副搬送波の概略図である。
【発明を実施するための形態】
【００６２】
図１は、１つ以上のデジタルブロードキャスト信号１０２を送信するデジタルブロードキャスト送信器１０１を含むデジタルブロードキャストシステム１００を示す。デジタルブロードキャスト送信器１０１は、例えば、１つ以上のデジタルブロードキャスト信号１０２をＤＶＢ−Ｈ標準に従って送信してもよい。あるいは、または加えて、デジタルブロードキャスト送信器１０１は、例えば、１つ以上のデジタルブロードキャスト信号１０２をマルチメディア・ブロードキャストおよびマルチキャスト・サービス（ＭＢＭＳ）に従って送信してもよい。あるいは、または加えて、デジタルブロードキャスト送信器１０１は、１つ以上のデジタルブロードキャスト信号１０２を、何らかの変調および／または符号化スキームに従って送信してもよい。
【００６３】
送信器によって送信される１つ以上のデジタルブロードキャスト信号は、例えば、図２Ａ）に略示するように、１つ以上のタイム・スライス、２０１、２０２、２０３、２０４、２０５、２０６、２０７を備えてもよい。図２では、軸Ｒはデータ速度を表す軸であり、軸ｔは、時間を表す軸である。１つのタイム・スライスはデータバーストであってもよい。例えば２０５のような１つのタイム・スライスにおいて、データが高速のデータ速度２１１で短い時間枠２１０の間に送信されてもよい。
【００６４】
さらに、例えば所与の周波数で送信されるデジタルブロードキャスト信号１０２は、例えば１つ以上のＴＶ番組や１つ以上のラジオ番組やＴＶ番組とラジオ番組の組み合わせ等のような、１つ以上のサービスを含んでもよい。例えば、１０Ｍｂｉｔ／秒の搬送周波数が、例えばＴＶ番組のような３００乃至４００ｋｂｉｔ／秒のサービスを３０個のオーダでサポートしてもよい。３０個のサービスは、各々のサービスがそれ自身のタイム・スライスを有する、図２Ｃ）の２１８および２１９のような、１個のフレームとして見られてもよく、すなわち、この例では、１つのフレームは３０個のタイム・スライスを備えてもよい。しかし、１つのフレームの中にいかなる数のタイム・スライスがあってもよい。
【００６５】
図２Ｃ）の２１８および２１９のようなフレームは、第１のフレーム２１８が３０個のサービスの各々について第１のデータの集合を含み、第２のフレーム２１９が３０個のサービスの各々について第２のデータの集合を含み、以下同様であるように連続して送信されてもよい。例として、第１のサービス、例えば１つのＴＶ番組が、例えば各フレームの第１のタイム・スライスの中で、すなわちタイム・スライス番号１、３１、等の中で送信されてもよいように、所与のサービスが、それが送信されるフレーム群の各々において同じ位置を有してもよい。第２のサービス、例えば第２のＴＶ番組が、例えば各フレームの第２のタイム・スライスの中で、すなわちタイム・スライス番号２、３２等の中で送信されてもよい。
【００６６】
あるいは、または加えて、１つのタイム・スライスは、複数のサービスを含んでもよい。例えば、１つのフレームが、１つのＴＶ番組を含む第１のタイム・スライスと、そして複数のラジオ番組を含む第２のタイム・スライスと、および／または１つのＴＶ番組と少なくとも１つのラジオ番組とを含む第３のタイム・スライスと、等等を含んでもよい。
【００６７】
デジタルブロードキャストシステム１００はさらに、例えば、本発明の一実施形態によるデバイスのような、１つ以上のデジタルブロードキャスト信号１０２を受信するためのデバイス１０３を含んでもよい。デバイス１０３は、１つ以上の送信されたデジタルブロードキャスト信号１０２をデジタルブロードキャスト送信器１０１からアンテナ１１０を介して受信してもよい。
【００６８】
アンテナ１１０は、例えばダイポール・アンテナ、磁気ループアンテナ、マイクロストリップアンテナ、および／またはアンテナアレーのような、いかなるタイプのアンテナでもよい。
【００６９】
受信したデジタルブロードキャスト信号は、前記アンテナ１１０から或る数のタイム・スライスをダウンロードするための手段１０５へ供給されてもよい。或る数のタイム・スライスをダウンロードするための手段は、例えば、ＤＶＢ−Ｈ受信器であってもよい。あるいは、或る数のタイム・スライスをダウンロードするための手段１０５は、デジタルブロードキャストのデータバースト／タイム・スライスを受信することのできるいかなるタイプの受信器であってもよい。
【００７０】
デバイス１０３はさらに、例えば例としてリチウムイオン電池および／またはニッケル水素電池および／またはリチウムポリマー電池など、１つ以上の電池１０４を備えてもよい。あるいは、デバイス１０３の１つ以上の電池１０４は、１つ以上のいかなるタイプの電池を備えてもよい。
【００７１】
デバイス１０３は、例えば電池１０４の充電状態に応じて、どのくらいの数のタイム・スライスを受信するか判定してもよい。図２Ｂ）では、デバイス１０３は、３つのタイム・スライス、すなわち送信器１０２によって送信されたタイム・スライス２０１、２０４、２０７をダウンロードすると判定した。図では、デバイス１０３は、タイム・スライス２０１、２０４、２０７を受信する。タイム・スライス／データバースト、例えば２０１、２０４、２０７を受信した後、すなわち、デバイスによって受信されないことになるタイム・スライスの時間枠の間、受信器は、受信されないタイム・スライス、すなわちタイム・スライス２０２、２０３、２０５および２０６の継続時間にほぼ相当するオフタイムを有してもよい。受信されることになるタイム・スライス２０１、２０４、２０７が到着する少し前にデバイス１０３の受信器１０５の電源がオンになることを求める、少しの同期時間が存在する。従って、デバイス１０３は、オフタイム２０２、２０３、２０５および２０６の間は、或る数のタイム・スライスを受信するための手段１０５の電源をオフにしてデバイスの電池１０４の電力を節約することができる。
【００７２】
デジタルブロードキャスト信号１０２が送信されてもよいデータ速度は、例えば１０Ｍｂｉｔ／秒であってもよい。タイム・スライスの継続時間は、例えば２００ミリ秒のオーダであってもよく、オフの時間枠は数秒のオーダであってもよい。あるいは、タイム・スライスの継続時間は、いかなる時間的長さであってもよい。あるいは、オフの時間枠は、いかなる時間の長さであってもよい。
【００７３】
オンの時間２０１に対してオフの時間２０２の時間が長ければ長いほど、或る数のタイム・スライスを受信するための手段１０５が、手段１０５の電源がオンにされる時間に対して、より長く電源がオフにされてもよく、従って結果としてデバイス１０３に関してより大きな節電をもたらすことができる。しかし、タイム・スライス２０５と２０６の間のオフタイム２０２が長くなると、結果として、第１のタイム・スライス内の第１のサービスから第２のタイム・スライス内の第２のサービスに切り換える場合の切換え時間、いわゆるザッピングタイムが長くなることがある。
【００７４】
デバイス１０３はさらに、ダウンロードされることになるタイム・スライスの数を電池の充電状態に基づいて判定するように構成された手段１０６を備えてもよい。前記手段１０６は、例えば、直接的にかまたは間接的に電池１０４に接続しているデジタル信号プロセッサ（ＤＳＰ）を備えてもよい。ＤＳＰは、電池１０４の状態を監視することができる。さらにＤＳＰは、例えば、例として、残余電池容量、消費電力などのような電池の測定状態値に基づいて、ダウンロードされることになるタイム・スライスの数を判定するようにプログラムされてもよい。
【００７５】
本発明の別の実施形態では、ダウンロードされることになるタイム・スライスの数を電池の充電状態に基づいて判定するように構成された手段１０６は、さらに、デバイス１０３の電池１０４が充電中であるかどうか、すなわち、移動通信デバイスが充電器（１０８）に接続しているかどうか検知するように構成されてもよい。
【００７６】
電池が充電中であることを手段１０６が検知すると、ダウンロードされることになるタイム・スライスの数が、例えば、すべてのタイム・スライスであると判定されてもよい。従って手段１０６は、ダウンロードされることになるタイム・スライスの数を、或る数のタイム・スライスをダウンロードするための手段１０５に、例えば電気接続を介して供給してもよく、従ってデバイス１０３は、送信器１０１によって送信されたすべてのタイム・スライスを実質的にダウンロードしてもよい。これは、例えば、或る数のタイム・スライスをダウンロードするための手段１０５が実質的に恒久的にオンであることを許容することによって実現されてもよい。デバイス１０３の電池１０４が充電中である場合、或る数のタイム・スライスをダウンロードするための手段１０５の消費電力およびデバイス１０３の消費電力は、問題ではないと考えられてもよい。ダウンロードされたタイム・スライスはメモリ１０７に記憶されてもよい。すべてのタイム・スライスがダウンロードされることになると判定される場合、最新のフレームのすべてのタイム・スライスはデバイス１０３のメモリ１０７の中にあり、従ってメモリ１０７からほぼ瞬間的に呼び出しうることから、サービス間のザッピングタイムは無視できるかもしれない。
【００７７】
電池が充電中でないことを、すなわち、移動通信デバイスが充電器に接続していないことを手段１０６が検出すると、ダウンロードされることになるタイム・スライスの数は、すべてのタイム・スライスとは違う値に設定されてもよい。デバイス１０３の電池１０４が充電中でない場合、或る数のタイム・スライスをダウンロードするための手段１０５とデバイス１０３との消費電力は、問題であると考えられてもよい。従って、或る数のタイム・スライスをダウンロードするための手段１０５がしばらくの期間は実質的にオフであることを許容することが有利であることがある。従って、移動通信デバイスが充電器に接続していない場合、ダウンロードされることになるタイム・スライスの数は、例えば、２つのタイム・スライス、例えば各受信フレームの第１および第２のタイム・スライスであると判定されてもよい。
【００７８】
別の実施形態では、ダウンロードされることになるタイム・スライスの数を電池１０４の充電状態に基づいて判定するように構成された手段１０６は、さらに残余電池容量を判定するように構成されてもよい。電池の残余容量が例えば、第１の限度より多い（例えば電池の残余容量が全電池容量の７５％より多い）と手段１０６が判定した場合、手段１０６は、例えば、各受信フレームの最初の２つのタイム・スライス、例えば番号１、２、１１、１２、２１、２２等をダウンロードすることを判定してもよい。ダウンロードされると判定されたタイム・スライスの数が、タイム・スライスの数を判定するための手段１０６から、或る数のタイム・スライスをダウンロードするための手段１０５へ、例えば電気接続を介して供給されてもよい。次いで手段１０５は、判定された数のタイム・スライスをダウンロードするであろう。
【００７９】
電池の残余容量が例えば第１の限度より少なく、かつ第２の限度より多い（例えば電池の残余容量が全電池容量の７５％より少なく、かつ５０％より多い）と手段１０６が判定した場合、手段１０６は、例えば、ダウンロードするタイム・スライスの数を、例えば番号１、１１、２１等であると判定してもよい。ダウンロードすると判定されたタイム・スライスの数が、タイム・スライスの数を判定するための手段１０６から或る数のタイム・スライスをダウンロードするための手段１０５へ供給されてもよく、判定された数のタイム・スライスがその中でダウンロードされてもよい。
【００８０】
電池１０４の残余容量が例えば、第２の限度より少ない（例えば電池の残余容量が全電池容量の５０％より少ない）と手段１０６が判定した場合には、手段１０６は、例えば、ダウンロードされることになるタイム・スライスの数をゼロ・タイム・スライスであると判定してもよい。ダウンロードすると判定されたタイム・スライスの数が、タイム・スライスの数を判定するための手段１０６から或る数のタイム・スライスをダウンロードするための手段１０５へ供給されてもよい。これにより、デバイスの電池容量が例えば一定の限度より少ない場合、デバイス１０３の消費電力を削減することができる。
【００８１】
別の実施形態では、ダウンロードされることになるタイム・スライスの数を電池の充電状態に基づいて判定するように構成された手段１０６は、さらに前記電池の消費電力に依存するように構成されてもよい。
【００８２】
例えば、デバイス１０３がスタンバイモードであり、従って、前記電池の消費電力が少ない（例えば第１の値より少ない）と手段１０６が判定した場合には、手段１０６は、ダウンロードされることになるタイム・スライスの数は、例として、例えば番号１と２、１１と１２、２１と２２等に対応する、各フレームの最初の２つのタイム・スライスであると判定してもよい。ダウンロードされることになると判定されたタイム・スライスの数が、ダウンロードされることになるタイム・スライスの数を判定するための手段１０６から、或る数のタイム・スライスをダウンロードするための手段１０５に、例えば電気接続を介して供給されてもよく、判定された数のタイム・スライスがその中でダウンロードされてもよい。
【００８３】
例えば、デバイス１０３がアクティブモード（例えば、通話が進行中）であり、従って、前記電池の消費電力が中程度である（例えば前記第１の値より多く、第２の値より少ない）と手段１０６が判断した場合には、手段１０６は、例えば番号１、１１、２１等に対応するタイム・スライスをダウンロードすると判定してもよい。ダウンロードされることになると判定されたタイム・スライスの数が、タイム・スライスの数を判定するための手段１０６から或る数のタイム・スライスをダウンロードするための手段１０５へ供給されてもよく、判定された数のタイム・スライスがその中でダウンロードされてもよい。
【００８４】
例えば、デバイス１０３がスタンバイモードであり、かつ、或る数のタイム・スライスをダウンロードするための手段がすでにアクティブであり（例えば普通ならスタンバイモードであろう移動通信デバイス上でユーザがＴＶ番組を視聴している）、従って前記電池の消費電力が中程度である（例えば前記第１の値より多く、第２の値より少ない）と手段１０６が判定した場合には、手段１０６は同様に、ダウンロードされることになるタイム・スライスの数を、すでに視聴されているタイム・スライスに加えて、例えば番号１、１１、２１等に対応する例えば各フレームの最初のタイム・スライスであると判定してもよい。ダウンロードすると判定されたタイム・スライスの数が、タイム・スライスの数を判定するための手段１０６から或る数のタイム・スライスをダウンロードするための手段１０５へ供給されてもよく、判定された数のタイム・スライスがその中でダウンロードされてもよい。
【００８５】
例えば、デバイス１０３がアクティブモードであり、かつ、或る数のタイム・スライスをダウンロードするための手段がすでにアクティブであって、タイム・スライスの第１の集合をダウンロードしており（例えばアクティブモードであるデバイス上でユーザがＴＶ番組を視聴している）、従って前記電池の消費電力が多い（例えば前記第２の値より多い）と手段１０６が判定した場合には、手段１０６は、移動通信デバイスの消費電力を増加させないことを目的として、第２のタイム・スライスの集合を例えばメモリデバイスにダウンロードしないことを判定してもよい。或る数のタイム・スライスをダウンロードするための手段１０５は、この場合、第１のタイム・スライスの集合をダウンロードし続けてもよい。
【００８６】
別の実施形態では、ダウンロードされることになるタイム・スライスの数を電池１０４の充電状態に基づいて判定するように構成された手段１０６はさらに、送信器１０１から受信したデータの信号対雑音比（ＳＮＲ）をデバイス１０３の消費電力の指標として使用するように構成される。
【００８７】
移動通信デバイスの受信状態が良い場合、例えば実質的に静止しているデバイス１０３および／または送信器１０１に近接しているデバイスの場合には、ＳＮＲが良いことがあり、従って、或る数のタイム・スライスをダウンロードするための手段１０５の消費電力が少ないことがある。移動通信デバイスの受信状態が悪い場合、例えば実質的に高速で移動中のデバイス１０３および／または送信器１０１とデバイス１０３の間の距離が大きい場合には、ＳＮＲが悪いことがあり、従って、或る数のタイム・スライスをダウンロードするための手段１０５の消費電力が多いことがある。デバイス１０３の消費電力の指標としてＳＮＲを用いることは可能であり、その理由は、例えば、或る数のタイム・スライスをダウンロードするための手段１０５の復号器、例えばＤＶＢ−Ｈ受信器内のＲｅｅｄ−Ｓｏｌｏｍｏｎ復号器は、ＳＮＲが良い場合には、訂正すべき誤りがない（またはわずかしかない）ため、いかなる誤り訂正も（あるいは、わずかな誤り訂正しか）行うことが必要とされないことがあり、従って復号器は（多くの）電力を消費しないからである。従って、ＳＮＲが良い場合には、復号器は消費電力が少なくなり、従って、或る数のタイム・スライスをダウンロードするための手段１０５は、或る数のタイム・スライスをダウンロードするために追加の電力を使ってもよく、従って、ダウンロードするタイム・スライスの数は増加されてもよい。
【００８８】
あるいは、ＳＮＲが悪い場合には、復号器は、或る程度の（または多くの）誤り訂正を行うことが必要とされることがあり、従って復号器は或る程度の（または多くの）電力を消費する。従って、ＳＮＲが悪い場合には、復号器は電力を消費し、従って、或る数のタイム・スライスをダウンロードするための手段１０５は、追加の電力を使うことができず、従って、ダウンロードするタイム・スライスの数は維持されるかまたは削減される。
【００８９】
別の実施形態では、移動通信デバイス１０３が実質的に静止しているかまたは低速で移動している場合には、デバイス１０３が送信器１０１から１つ以上のブロードキャスト信号を受信するチャネルは、低速で変化する可能性があり、従って、デバイス１０３における必要なチャネル推定は単純化されてもよく、従って、あまり複雑でないチャネル推定アルゴリズムが利用されてもよく、その結果、電力は少なくて済む。従って、或る数のタイム・スライスをダウンロードするための手段１０５は、或る数のタイム・スライスをダウンロードするための追加の電力を使ってもよく、従って、ダウンロードされることになるタイム・スライスの数は増加されてもよい。
【００９０】
別の実施形態では、移動通信デバイス１０３は、さらに例えば例としてＲＡＭ、ＤＲＡＭ、フラッシュメモリ、および／または、いずれかの他のタイプのメモリデバイスなどの、メモリデバイス１０７を備えてもよい。メモリデバイス１０７は、例えば、或る数のタイム・スライスをダウンロードするための手段が１つ以上のタイム・スライスをメモリデバイス１０７の中に記憶可能なように、或る数のタイム・スライスをダウンロードするための手段１０５に電気的に接続していてもよい。
【００９１】
サービスが、カルーセルのかたちで送信され（例えば、ニュース、株価情報等）、そして、或る数のタイム・スライスをダウンロードするための手段１０５によってダウンロードされる場合には、サービスの最新バージョンだけがメモリ１０７に記憶される。あるいは、カルーセルのかたちで送信されたサービスの異なるバージョンが、メモリ１０７に記憶されてもよい。あるいは、すべてのダウンロードされたサービスがメモリ１０７に記憶される。メモリ１０７に記憶されるサービスバージョンの量は、例えばメモリユニット１０７のサイズおよび／または、メモリの空き容量によって判定されてもよい。
【００９２】
一般に、２つのタイム・スライス、例えば１つのフレーム内の第１および第２のタイム・スライスに対応するデータが同時にダウンロードされることになる場合には、同期時間を削減することを目的として、２つの隣接するタイム・スライス、例えば第１と第２のタイム・スライス、第２と第３のタイム・スライス、第３と第４のタイム・スライス等をダウンロードすることが有利である。２つの隣接するタイム・スライスを選択することによって、２つのタイム・スライスについて必要となるのは、１つの同期時間だけであろう。
【００９３】
２つより多いタイム・スライス、例えばＮ個のタイム・スライスがダウンロードされることになる場合には、ダウンロードは、最初に第１のフレームの中のタイム・スライス１、２、．．．Ｎを、その後、第２のフレームの中のタイム・スライスＮ＋１、Ｎ＋２、．．．２Ｎを、以下同様にダウンロードすることによって行われる。
【００９４】
ダウンロードされることになるタイム・スライスの数を判定するための手段１０６は、前記ダウンロードされることになるタイム・スライスの数を、ユーザの切換え動作の統計データに基づいて判定してもよい。例えば、ユーザが第１のＴＶ番組から第２のＴＶ番組へ切り換える場合には、ユーザは、第１のＴＶ番組に戻るかまたは第３のＴＶ番組に切り換える可能性が高いことがある。この状況では、多数（例えば４または５）のタイム・スライスが受信されることになると判定され、その後、受信器によって受信される可能性が高く、すなわち、結果的に、受信されるタイム・スライスが多数であるため消費電力が多くなる。ユーザが第１のＴＶ番組を或る（長い）時間視聴し続けている場合、例えば、ユーザが第２のＴＶ番組に或る時間切り換えなかった場合、例えば、次のフレームの間にユーザが第２のＴＶ番組に切り換えるだろうという可能性は低くなり、そして、この状況では、少数のタイム・スライス（例えば１または２）が受信されることになると判定されてその後受信器によって受信される可能性が高く、すなわち、結果的に、受信されるタイム・スライスが少数であるため消費電力が少なくなる。
【００９５】
図３に、本発明の一実施形態のフローチャート図を示す。フローチャートは、データをタイム・スライスとして送信するブロードキャストシステムにおいて電池を備えた移動通信デバイスの中でデータを受信するための方法を表す。フローチャートによって表される方法は、ステップ３０１で開始される。ステップ３１０で、方法は電池１０４の充電状態を判定する。ステップ３２０で、電池の充電状態が、例えば、移動通信デバイスが充電器（１０８）に接続していることを示す場合には、受信されることになるタイム・スライスの第１の数が、例えば、すべてのタイム・スライスが受信されることになると判定することによって、判定される。ステップ３３０で、電池の充電状態が、例えば、移動通信デバイスが充電器（１０８）に接続していないことを示す場合には、受信されることになるタイム・スライスの第２の数が、例えば、タイム・スライスの半分が受信されることになると判定することによって、判定される。ステップ３４０で、判定された数のタイム・スライス、例えば第１の数または第２の数のタイム・スライスが、移動通信デバイスによって受信される。ステップ３５０で、方法は終了する。
【００９６】
以上および以下で、タイム・スライスという用語は、ＤＶＢ−Ｈシステムに関連して用いられている。しかし、タイム・スライスという用語は、例えば、タイム・スライシングまたは送信されたデータの同様の分割を用いるすべてのシステムが本発明によってカバーされうるように、より広義に解釈されうる。
【００９７】
同様に、データ量の部分という用語は、例えば、０％、２５％、５０％、７５％、１００％で構成される部分のグループから選択されてもよい。あるいは、データ量の部分は、データ量のいかなる部分に対応してもよい。データ量の部分は、例えば、時間量の部分を表してもよい。あるいは、データ量の部分は、例えば、帯域幅の量を表してもよい。
【００９８】
上記では、タイム・スライスによるシステムを対象とした。しかし、本発明ではタイム・スライスによらないシステムが用いられてもよい。上記のように受信されることになる或る数のタイム・スライスを選択する代わりに、受信器１０５が、例えば、送信された帯域幅の一定の部分、例えば、直交周波数分割多重システムの中の一定数の副搬送波を受信するように制限されてもよい。図４は、直交周波数分割多重（ＯＦＤＭ）システム４００の中で送信されたデータ（４０１、４０２、４０３）を示す。この実施形態では、例えば異なるＴＶ番組のような多様なサービスが、デジタル・マルチキャリア変調システムの複数の副搬送波のうちの多様な副搬送波の集合（４０１、４０２、４０３）の中に、例えば、第１のサービスが副搬送波４０１の中に、第２のサービスが副搬送波４０２の中に位置するというように以下同様に位置してもよい。
【００９９】
図５によって表される別の実施形態では、ＯＦＤＭシステム５００は、副搬送波５０１を送信する。この場合もやはり、副搬送波は複数のサービスを表してもよい。本実施形態では、サービスは、例えば５０２のような副搬送波の部分集合の中に位置してもよく、他方、他の副搬送波は他の諸サービスによって用いられてもよい。すべての副搬送波、すなわち、帯域幅全体をダウンロードする代わりに、副搬送波の部分集合５０２および対応する諸サービスがダウンロード用に選択されてもよい。削減された帯域幅を受信することは、移動通信デバイスがデータをダウンロード／受信するサンプリングレートが比例して削減されてもよいことを意味する。移動通信デバイスの消費電力は、典型的にはサンプリングレートに比例し、従って、削減された帯域幅をダウンロードすることにより、消費電力が、移動通信デバイスの電池の充電状態に応じて選択される。
【０１００】
上記で開示したデータを送信するＯＦＤＭシステム内の移動通信デバイスが、例えば充電器に接続している場合には、電池容量は、移動通信デバイスにとって問題ではないことがあり、従って、移動通信デバイスは、例えばすべてのサービスに対応するデータをダウンロード／受信してもよく、すなわち、移動通信デバイスは、例えば、すべての副搬送波（４０１、４０２および４０３；５０１）をダウンロードしてもよい。これにより、移動通信デバイスが充電器に接続している場合、移動通信デバイスは、帯域幅全体でダウンロードすることを判定してもよい。
【０１０１】
移動通信デバイスが充電器に接続していない場合、残余電池容量によって、例えば、ダウンロード／受信する帯域幅の量が判定されてもよい。例えば、電池が実質的にフル充電されている場合、移動通信デバイスは、例えば２つのＴＶ番組（４０１、４０２；５０２）に対応する副搬送波をダウンロードしてもよい。例えば、電池の残余容量が実質的に電池のフル容量の５０％である場合には、移動通信デバイスは、例えば１つのサービスを、例えば副搬送波の集合４０２：５０３で表されるＴＶ番組を、ダウンロードしてもよい。従って、移動通信デバイスは、デバイスの電池容量が実質的にフル充電されていない場合、削減された帯域幅でダウンロードしてもよい。
【０１０２】
電池の残余容量が実質的に電池のフル容量の５０％より少ない場合には、移動通信デバイスは、いかなる搬送波もダウンロードしない、すなわち、いかなるサービスもダウンロードしないと判定してもよい。
【０１０３】
また、タイム・スライスに関連して上記で開示したように、移動通信デバイスは、ダウンロードする副搬送波の量を、例えば移動通信デバイスの消費電力に基づいて決めてもよい。
【０１０４】
本発明の各種の実施形態についてこれまで記述し図示してきたが、本発明は、それに限定されるのではなく、以下の請求項で定義された主題の事項の範囲の中で他のかたちで実施されてもよい。
【０１０５】
一般に、上記および／または下記の技術的特徴および／または実施形態のうちのいずれも、１つの実施形態へと結合されてもよい。あるいは、または加えて、上記および／または下記の技術的特徴および／または実施形態のうちのいずれも、別個の実施形態となっていてもよい。あるいは、または加えて、上記および／または下記の技術的特徴および／または実施形態のうちのいずれも、上記および／または下記のいかなる数の他の技術的特徴および／または実施形態と結合されて、いかなる数の実施形態が得られてもよい。
【０１０６】
複数の手段を列挙しているデバイスの請求項では、これらの手段の数個が、まったく同一のハードウェア品目で実施されることができる。一定の方策が、相互に異なる従属請求項の中に列挙されたり、異なる実施形態の中に記述されたりしているという単純な事実は、これらの方策の組み合わせが、有利になるように使用されることができないことを示してはいない。
【０１０７】
強調されるべきだが、「含む／含んでいる(comprises/comprising)」という用語は、本明細書で用いられる場合、述べられた特徴、整数、ステップまたは構成部品の存在を明記すると考えられるが、１つ以上の他の特徴、整数、ステップ、構成部品またはそれらのグループの存在または追加を除外するものではない。
【図１】
2010525706.tif 000003
【図２】
2010525706.tif 000004
【図３】
2010525706.tif 000005
【図４】
2010525706.tif 000006
【図５】
2010525706.tif 000007
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
或るデータ量が送信されるブロードキャストシステム（１００）において移動通信デバイス（１０３）の中でデータを受信する方法であって、
前記移動通信デバイス（１０３）は電池（１０４）を含み、
前記方法は、
前記データ量の部分を受信するステップと、
前記電池の充電状態に基づいて前記データ量の前記部分を判定するステップと、
を備え、
前記電池の充電状態に基づいて前記データ量の前記部分を判定する前記ステップは更に、
前記電池（１０４）が充電器（１０８）に接続されているということを前記電池の前記充電状態が示す場合に、前記データ量の前記部分（２０５，２０６）を、前記データ量の第１の部分（２０５，２０６）に等しいものとして判定するステップと、
前記電池（１０４）が前記充電器（１０８）に接続されていないということを前記電池の前記充電状態が示す場合に、前記データ量の前記部分（２０５，２０６）を、前記データ量の第２の部分（２０５，２０６）に等しいものとして判定するステップと、
を備える
ことを特徴とする方法。
【請求項２】
前記電池の充電状態に基づいて前記データ量の前記部分を判定する前記ステップは、残余電池容量に基づくことを特徴とする請求項１に記載の方法。
【請求項３】
残余電池容量に基づいて前記データ量の前記部分（２０５，２０６）を判定する前記ステップは、
前記電池の全容量のうちの第１の量以上の残余容量を前記電池（１０４）が持つということを前記電池の前記充電状態が示す場合に、前記データ量の前記部分（２０５，２０６）を、前記データ量の第３の部分（２０５，２０６）に等しいものとして判定するステップと、
前記電池の全容量のうちの前記第１の量未満の残余容量を前記電池（１０４）が持つということを前記電池の前記充電状態が示す場合に、前記データ量の前記部分（２０５，２０６）を、前記データ量の第４の部分に等しいものとして判定するステップと、
を備えることを特徴とする請求項２に記載の方法。
【請求項４】
前記電池の充電状態に基づいて前記データ量の前記部分（２０５，２０６）を判定する前記ステップは、前記電池（１０４）に関する前記デバイス（１０３）の消費電力に依存して実行されることを特徴とする請求項１乃至３のいずれか１項に記載の方法。
【請求項５】
前記電池の充電状態に基づいて前記データ量の前記部分（２０５，２０６）を判定する前記ステップは更に、
前記移動通信デバイスが第１の値以下の消費電力を示すスタンバイモードにある場合に、前記データ量の前記部分（２０５，２０６）を、前記データ量の各部分のうち、最大値及び最小値を持つ第１の範囲にあるものと判定するステップと、
前記移動通信デバイスが前記第１の値より多い消費電力を示すアクティブモードにある場合に、前記データ量の前記部分（２０５，２０６）を、前記データ量の各部分のうち、最大値及び最小値を持つ第２の範囲にあるものと判定するステップと、
を備えることを特徴とする請求項４に記載の方法。
【請求項６】
前記移動通信デバイスが前記スタンバイモードにある場合に、前記移動通信デバイスの受信器がアクティブであれば、前記データ量の前記部分（２０５，２０６）を、前記第１の範囲の前記最小値に等しいものとして判定するステップを更に備えることを特徴とする請求項５に記載の方法。
【請求項７】
前記移動通信デバイスが前記アクティブモードにある場合に、前記移動通信デバイスの受信器がアクティブであれば、前記データ量の前記部分（２０５，２０６）を、前記第２の範囲の前記最小値に実質的に等しいものとして判定するステップを更に備えることを特徴とする請求項５又は６に記載の方法。
【請求項８】
前記電池に関する前記デバイスの消費電力に依存して実行される前記データ量の前記部分（２０５，２０６）を判定する前記ステップは更に、
前記移動通信デバイスが第２の消費電力以上の消費電力を持つということを前記電池の前記充電状態が示す場合に、前記データ量の前記部分（２０５，２０６）を、前記データ量の第５の部分（２０５，２０６）に等しいものとして判定するステップと、
前記移動通信デバイスが前記第２の消費電力未満の消費電力を持つということを前記電池の前記充電状態が示す場合に、前記データ量の前記部分（２０５，２０６）を、前記データ量の第６の部分（２０５，２０６）に等しいものとして判定するステップと、
を備えることを特徴とする請求項４に記載の方法。
【請求項９】
前記ブロードキャストシステムから前記移動通信デバイスが受信するデータの信号対雑音比を、前記移動通信デバイスの消費電力の指標として使用するステップを備えることを特徴とする請求項４乃至８のいずれか１項に記載の方法。
【請求項１０】
前記データ量の受信した部分を前記移動通信デバイスのメモリデバイス（１０７）に記憶するステップを更に備えることを特徴とする請求項１乃至９のいずれか１項に記載の方法。
【請求項１１】
前記電池の充電状態に基づいて前記データ量の前記部分を判定する前記ステップは、前記移動通信デバイスを使用するユーザのサービス切換え動作を表す統計データに更に基づくことを特徴とする請求項１乃至１０のいずれか１項に記載の方法。
【請求項１２】
前記データ量はタイム・スライス（２０５，２０６）として送信され、前記データ量の前記部分は或る数のタイム・スライスであることを特徴とする請求項１乃至１１のいずれか１項に記載の方法。
【請求項１３】
前記ブロードキャストシステム（１００）は、Ｄｉｇｉｔａｌ  Ｖｉｄｅｏ  Ｂｒｏａｄｃａｓｔｉｎｇ−Ｈａｎｄｈｅｌｄ標準に従って前記データ量を送信するように構成されることを特徴とする請求項１２に記載の方法。
【請求項１４】
前記データ量は或る量の帯域幅として送信され、前記データ量の前記部分は或る量の帯域幅であることを特徴とする請求項１乃至１１のいずれか１項に記載の方法。
【請求項１５】
前記ブロードキャストシステム（１００）は、ＯＦＤＭ標準に従って前記データ量を送信するように構成されることを特徴とする請求項１４に記載の方法。
【請求項１６】
或るデータ量が送信されるブロードキャストシステム（１００）においてデータを受信するデバイスであって、
電池（１０４）と、
前記データ量の部分を受信する手段（１０５）と、
前記電池の充電状態に基づいて前記データ量の前記部分を判定するように構成される手段（１０６）と、
を備え、
前記電池の充電状態に基づいて前記データ量の前記部分を判定するように構成される前記手段（１０６）は更に、
前記電池（１０４）が充電器（１０８）に接続されているということを前記電池の前記充電状態が示す場合に、前記データ量の前記部分（２０５，２０６）を、前記データ量の第１の部分（２０５，２０６）に等しいものとして判定し、
前記電池（１０４）が前記充電器（１０８）に接続されていないということを前記電池の前記充電状態が示す場合に、前記データ量の前記部分（２０５，２０６）を、前記データ量の第２の部分（２０５，２０６）に等しいものとして判定する、
ように構成されることを特徴とするデバイス。
【請求項１７】
前記電池の充電状態に基づいて前記データ量の前記部分を判定するように構成される前記手段（１０６）は更に、残余電池容量に基づいて前記データ量の前記部分（２０５，２０６）を判定するように構成されることを特徴とする請求項１６に記載のデバイス。
【請求項１８】
前記電池の充電状態に基づいて前記データ量の前記部分を判定するように構成され、残余電池容量に基づいて前記データ量の前記部分を判定するように更に構成される前記手段（１０６）は更に、
前記電池の全容量のうちの第１の量以上の残余容量を前記電池（１０４）が持つということを前記電池の前記充電状態が示す場合に、前記データ量の前記部分（２０５，２０６）を、前記データ量の第３の部分（２０５，２０６）に等しいものとして判定し、
前記電池の全容量のうちの前記第１の量未満の残余容量を前記電池（１０４）が持つということを前記電池の前記充電状態が示す場合に、前記データ量の前記部分（２０５，２０６）を、前記データ量の第４の部分（２０５，２０６）に等しいものとして判定する、
ように構成されることを特徴とする請求項１７に記載のデバイス。
【請求項１９】
前記電池の充電状態に基づいて前記データ量の前記部分（２０５，２０６）を判定するように構成される前記手段（１０６）は更に、前記電池に関する前記デバイスの消費電力に基づいて前記データ量の前記部分（２０５，２０６）を判定するように構成されることを特徴とする請求項１６乃至１８のいずれか１項に記載のデバイス。
【請求項２０】
前記電池の充電状態に基づいて前記データ量の前記部分（２０５，２０６）を判定するように構成される前記手段（１０６）は更に、
前記デバイスが第１の値以下の消費電力を示すスタンバイモードにある場合に、前記データ量の前記部分（２０５，２０６）を、前記データ量の各部分のうち、最大値及び最小値を持つ第１の範囲（２０５，２０６）にあるものと判定し、
前記デバイスが前記第１の値より多い消費電力を示すアクティブモードにある場合に、前記データ量の前記部分（２０５，２０６）を、前記データ量の各部分のうち、最大値及び最小値を持つ第２の範囲（２０５，２０６）にあるものと判定する、
ように構成されることを特徴とする請求項１９に記載のデバイス。
【請求項２１】
前記電池の充電状態に基づいて前記データ量の前記部分（２０５，２０６）を判定するように構成される前記手段（１０６）は更に、前記デバイスが前記スタンバイモードにある場合に、前記デバイスの受信器（１０５）がアクティブであれば、前記データ量の前記部分（２０５，２０６）を、前記第１の範囲の前記最小値に等しいものとして判定するように構成されることを特徴とする請求項２０に記載のデバイス。
【請求項２２】
前記電池の充電状態に基づいて前記データ量の前記部分（２０５，２０６）を判定するように構成される前記手段（１０６）は更に、前記デバイスが前記アクティブモードにある場合に、前記デバイスの受信器（１０５）がアクティブであれば、前記データ量の前記部分（２０５，２０６）を、前記第２の範囲の前記最小値に等しいものとして判定するように構成されることを特徴とする請求項２０又は２１に記載のデバイス。
【請求項２３】
前記電池の消費電力に基づいて前記データ量の前記部分（２０５，２０６）を判定するように構成される前記手段（１０６）は更に、
前記デバイスが第２の消費電力以上の消費電力を持つということを前記電池の前記充電状態が示す場合に、前記データ量の前記部分（２０５，２０６）を、前記データ量の第５の部分（２０５，２０６）に等しいものとして判定し、
前記デバイスが前記第２の消費電力未満の消費電力を持つということを前記電池の前記充電状態が示す場合に、前記データ量の前記部分（２０５，２０６）を、前記データ量の第６の部分（２０５，２０６）に等しいものとして判定する、
ように構成されることを特徴とする請求項１９に記載のデバイス。
【請求項２４】
前記電池の充電状態に基づいて前記データ量の前記部分を判定するように構成される前記手段（１０６）は更に、前記ブロードキャストシステム（１００）から前記デバイス（１０３）が受信するデータの信号対雑音比を、前記デバイス（１０３）の消費電力の指標として使用するように構成されることを特徴とする請求項１９乃至２３のいずれか１項に記載のデバイス。
【請求項２５】
前記ブロードキャストシステム（１００）から受信した前記データ量の前記部分を格納するように構成されるメモリユニット（１０７）を更に備えることを特徴とする請求項１６乃至２４のいずれか１項に記載のデバイス。
【請求項２６】
前記電池の充電状態に基づいて前記データ量の前記部分（２０５，２０６）を判定するように構成される前記手段（１０６）は更に、前記デバイスを使用するユーザのサービス切換え動作を表す統計データに基づいて、受信すべき前記データ量の前記部分を判定するように構成されることを特徴とする請求項１６乃至２５のいずれか１項に記載のデバイス。
【請求項２７】
前記データ量はタイム・スライス（２０５，２０６）として送信され、前記データ量の前記部分は或る数のタイム・スライスであることを特徴とする請求項１６乃至２６のいずれか１項に記載のデバイス。
【請求項２８】
前記ブロードキャストシステムは、Ｄｉｇｉｔａｌ  Ｖｉｄｅｏ  Ｂｒｏａｄｃａｓｔｉｎｇ−Ｈａｎｄｈｅｌｄシステムであることを特徴とする請求項２７に記載のデバイス。
【請求項２９】
前記データ量は或る量の帯域幅として送信され、前記データ量の前記部分は或る量の帯域幅であることを特徴とする請求項１６乃至２６のいずれか１項に記載のデバイス。
【請求項３０】
前記ブロードキャストシステム（１００）は、ＯＦＤＭシステムであることを特徴とする請求項２９に記載のデバイス。
【請求項３１】
移動電話であることを特徴とする請求項１６乃至３０のいずれか１項に記載のデバイス。
【手続補正２】
【補正対象書類名】明細書
【補正対象項目名】００１９
【補正方法】変更
【補正の内容】
【００１９】
本発明によると、本目的は、或るデータ量が送信されるブロードキャストシステムにおいて移動通信デバイス内でデータを受信するための方法によって実現され、前記移動通信デバイスは電池を備えており、方法には、前記データ量の部分を受信するステップが含まれることを特徴とし、方法にはさらに、電池の充電状態に基づいて前記データ量の前記部分を判定するステップが含まれ、前記電池の充電状態に基づいて前記データ量の前記部分を判定する前記ステップは更に、前記電池が充電器に接続されているということを前記電池の前記充電状態が示す場合に、前記データ量の前記部分を、前記データ量の第１の部分に等しいものとして判定するステップと、前記電池が前記充電器に接続されていないということを前記電池の前記充電状態が示す場合に、前記データ量の前記部分を、前記データ量の第２の部分に等しいものとして判定するステップと、を含むことを特徴とする。
【手続補正３】
【補正対象書類名】明細書
【補正対象項目名】００２３
【補正方法】削除
【補正の内容】
【手続補正４】
【補正対象書類名】明細書
【補正対象項目名】００２４
【補正方法】変更
【補正の内容】
【００２４】
加えて、移動通信デバイスが、移動通信デバイスの電池を充電する充電器に接続している場合には、移動通信デバイスの消費電力は問題ではなく、従って、移動通信デバイスは、大量（第１の量）のデータを受信／ダウンロードしてもよい。
【手続補正５】
【補正対象書類名】明細書
【補正対象項目名】００５８
【補正方法】変更
【補正の内容】
【００５８】
上記のように、本発明はまた、或るデータ量が送信されるブロードキャストシステムにおいてデータを受信するためのデバイスに関するものであり、前記デバイスは電池と前記データ量の部分を受信するための手段とを備えており、デバイスは電池の充電状態に基づいて前記データ量の前記部分を判定するように構成された手段をさらに備え、前記電池の充電状態に基づいて前記データ量の前記部分を判定するように構成される前記手段は更に、前記電池が充電器に接続されているということを前記電池の前記充電状態が示す場合に、前記データ量の前記部分を、前記データ量の第１の部分に等しいものとして判定し、前記電池が前記充電器に接続されていないということを前記電池の前記充電状態が示す場合に、前記データ量の前記部分を、前記データ量の第２の部分に等しいものとして判定する、ように構成されることを特徴とする。
【手続補正６】
【補正対象書類名】明細書
【補正対象項目名】００９５
【補正方法】変更
【補正の内容】
【００９５】
図３に、本発明の一実施形態のフローチャート図を示す。フローチャートは、データをタイム・スライスとして送信するブロードキャストシステムにおいて電池を備えた移動通信デバイスの中でデータを受信するための方法を表す。フローチャートによって表される方法は、ステップ３０１で開始される。ステップ３１０で、方法は電池１０４の充電状態を判定する。ステップ３２０で、電池の充電状態が、例えば、移動通信デバイスが充電器（１０８）に接続していることを示す場合には、受信されることになるタイム・スライスの第１の数を判定し、例えば、すべてのタイム・スライスが受信されることになると判定する。ステップ３３０で、電池の充電状態が、例えば、移動通信デバイスが充電器（１０８）に接続していないことを示す場合には、受信されることになるタイム・スライスの第２の数を判定し、例えば、タイム・スライスの半分が受信されることになると判定する。ステップ３４０で、判定された数のタイム・スライス、例えば第１の数または第２の数のタイム・スライスが、移動通信デバイスによって受信される。ステップ３５０で、方法は終了する。
【手続補正７】
【補正対象書類名】明細書
【補正対象項目名】００９９
【補正方法】変更
【補正の内容】
【００９９】
図５によって表される別の実施形態では、ＯＦＤＭシステム５００は、副搬送波５０１を送信する。この場合もやはり、副搬送波は複数のサービスを表してもよい。本実施形態では、サービスは、例えば５０２のような副搬送波の部分集合の中に位置してもよく、他方、他の副搬送波は他の諸サービスによって用いられてもよい。すべての副搬送波、すなわち、帯域幅全体をダウンロードする代わりに、副搬送波の部分集合５０２および対応する諸サービスがダウンロード用に選択されてもよい。削減された帯域幅を受信することは、移動通信デバイスがデータをダウンロード／受信するサンプリングレートが比例して削減されてもよいことを意味する。移動通信デバイスの消費電力は、典型的にはサンプリングレートに比例し、従って、消費電力が、移動通信デバイスの電池の充電状態に応じて選択可能である。
【国際調査報告】
2010525706.tif 000008
2010525706.tif 000009
2010525706.tif 000010